(57)【要約】【課題】出力コネクタをマイクロホンケースに対して偏心することなく固定する。【解決手段】コネクタ基台１１に、ネジ収納穴１２と直交して垂直に横切る第１の溝２１と、その両端から互いに平行として延びコネクタ基台１１の周面に至る第２，第３の溝２２，２３とを含む金具収納溝２０を形成し、金具収納溝２０内に、第１の溝２１内に配置され雄ネジ１３と螺合する雌ネジ３１ａを有する基板３１と、その両端から互いに平行に折り曲げられて第２，第３の溝２２，２３内に配置される一対の脚板３２，３３とを含む固定金具３０を収納し、第１の溝２１の溝幅を基板３１の板厚よりも広くして固定金具３０を第１の溝２１の溝幅方向に移動可能とし、雄ネジ１３をマイクロホンケース１側の孔２の周縁部に当接するのに伴って、各脚板３２，３３の先端が第２，第３の溝２２，２３から突出してマイクロホンケース１の内面に当接するようにし、コネクタ基台１１を雄ネジ１３および２つの脚板３２，３３の３箇所にてマイクロホンケース１内に固定する。【選択図】図５
2011091529.tif 000002
【特許請求の範囲】
【請求項１】
円筒状のマイクロホンケース内に嵌合される合成樹脂製の円盤体からなるコネクタ基台を備え、上記コネクタ基台には周面側から半径方向に沿って内部に雌ネジを有するネジ収納穴が設けられ、上記ネジ収納穴内に上記雌ネジと螺合し半径方向に沿って移動可能な雄ネジが収納されており、上記マイクロホンケースに形成されている上記雄ネジよりも小径の工具挿入用の孔から上記雄ネジを回して半径方向外側に移動させ上記雄ネジを上記孔の周縁部に当接させることにより、上記コネクタ基台が上記マイクロホンケース内に固定されるマイクロホン用の出力コネクタにおいて、
上記コネクタ基台の上面もしくは下面には、上記ネジ収納穴と直交しかつ上記ネジ収納穴を垂直に横切る第１の溝と、上記第１の溝の両端から互いに平行として上記ネジ収納穴とは反対方向に延び上記コネクタ基台の周面に至る第２および第３の溝とを含む金具収納溝が形成されており、
上記金具収納溝内に、上記第１の溝内に配置され上記雄ネジと螺合する上記雌ネジを有する基板と、上記基板の両端から互いに平行に折り曲げられて上記第２および第３の溝内に配置される一対の脚板とを含む固定金具が収納され、
上記第１の溝の溝幅は上記基板の板厚よりも広く、上記固定金具は上記第１の溝の溝幅方向に移動可能であり、
上記固定金具は上記雄ネジと逆方向に移動し、上記雄ネジが上記ネジ収納穴内に没している状態のとき上記各脚板は上記第２および第３の溝内に引き込まれ、
上記雄ネジが上記ネジ収納穴から突出して上記孔の周縁部に当接するのに伴って、上記各脚板は上記第２および第３の溝から突出して上記マイクロホンケースの内面に当接することを特徴とするマイクロホン用の出力コネクタ。
【請求項２】
上記第２および第３の溝の溝幅と上記各脚板の板厚はほぼ同一であることを特徴とする請求項１に記載のマイクロホン用の出力コネクタ。
【請求項３】
上記雄ネジと上記一対の脚板はほぼ１２０度間隔で配置されていることを特徴とする請求項１または２に記載のマイクロホン用の出力コネクタ。
【発明の詳細な説明】
【技術分野】
【０００１】
本発明は、マイクロホン用の出力コネクタに関し、さらに詳しく言えば、マイクロホンケース内に固定する際の偏心を防止する技術に関するものである。
【背景技術】
【０００２】
ファントム電源を使用するコンデンサマイクロホンの出力コネクタには、通常、ＥＩＡＪ  ＲＣ−５２３６「音響機器用ラッチロック式丸形コネクタ」で規定されている出力コネクタが用いられている。
【０００３】
この出力コネクタは３ピンプラグとも呼ばれ、例えば特許文献１，２に記載されているように、ＰＢＴ（ポリブタジエンテレフターレート）等の合成樹脂により円盤状に形成されたコネクタ基台を備えている。
【０００４】
コネクタ基台には、接地用の１番ピン，信号用のホット側２番ピンおよび信号用のコールド側３番ピンが貫設されている。また、コネクタ基台には、その周面から半径方向に沿ってネジ収納穴が形成され、その内部に雌ネジが配置されている。
【０００５】
ネジ収納穴内には、雌ネジと螺合する雄ネジが収納されており、その回す方向によって雄ネジは半径方向外側もしくは内側に向けて移動する。
【０００６】
マイクロホンケース側には、雄ネジよりも小径な工具挿入の孔が穿設されており、出力コネクタをマイクロホンケース内に固定するにあたっては、コネクタ基台をマイクロホンケース内に嵌合し、ネジ収納穴を工具挿入の孔に合致させる。
【０００７】
そして、工具挿入の孔からドライバを差し込んで、雄ネジを例えば反時計方向に回して半径方向外側に移動させ、雄ネジのエッジ部（肩部）を工具挿入の孔の周縁部分に強固に突き当てる。
【０００８】
このようにして、出力コネクタがマイクロホンケース内に固定されるのであるが、コネクタ基台の外周面とマイクロホンケースの内周面との間には、嵌合用のクリアランスが存在するため、雄ネジを工具挿入の孔の周縁部分に強固に突き当てると、そのクリアランス分、マイクロホンケースの軸線に対してコネクタ基台が確実に偏心する。
【０００９】
出力コネクタにファントム電源からのケーブル側プラグを差し込む際、偏心量が僅かである場合にはさほど問題はないが、例えばコネクタ基台成型時の寸法誤差等により、偏心量が大きくなると機械的接続が困難になる。また、無理をして強制的に嵌合しても、電気的な接続が不安定となり、これが原因で雑音が発生することもある。
【先行技術文献】
【特許文献】
【００１０】
【特許文献１】特開２００５−９４５７５号公報
【特許文献２】特開２００５−３１１７５２号公報
【発明の概要】
【発明が解決しようとする課題】
【００１１】
したがって、本発明の課題は、出力コネクタをマイクロホンケースに対して偏心することなく、確実に固定できるようにすることにある。
【課題を解決するための手段】
【００１２】
上記課題を解決するため、本発明は、円筒状のマイクロホンケース内に嵌合される合成樹脂製の円盤体からなるコネクタ基台を備え、上記コネクタ基台には周面側から半径方向に沿って内部に雌ネジを有するネジ収納穴が設けられ、上記ネジ収納穴内に上記雌ネジと螺合し半径方向に沿って移動可能な雄ネジが収納されており、上記マイクロホンケースに形成されている上記雄ネジよりも小径の工具挿入用の孔から上記雄ネジを回して半径方向外側に移動させ上記雄ネジを上記孔の周縁部に当接させることにより、上記コネクタ基台が上記マイクロホンケース内に固定されるマイクロホン用の出力コネクタにおいて、
上記コネクタ基台の上面もしくは下面には、上記ネジ収納穴と直交しかつ上記ネジ収納穴を垂直に横切る第１の溝と、上記第１の溝の両端から互いに平行として上記ネジ収納穴とは反対方向に延び上記コネクタ基台の周面に至る第２および第３の溝とを含む金具収納溝が形成されており、上記金具収納溝内に、上記第１の溝内に配置され上記雄ネジと螺合する上記雌ネジを有する基板と、上記基板の両端から互いに平行に折り曲げられて上記第２および第３の溝内に配置される一対の脚板とを含む固定金具が収納され、上記第１の溝の溝幅は上記基板の板厚よりも広く、上記固定金具は上記第１の溝の溝幅方向に移動可能であり、上記固定金具は上記雄ネジと逆方向に移動し、上記雄ネジが上記ネジ収納穴内に没している状態のとき上記各脚板は上記第２および第３の溝内に引き込まれ、上記雄ネジが上記ネジ収納穴から突出して上記孔の周縁部に当接するのに伴って、上記各脚板は上記第２および第３の溝から突出して上記マイクロホンケースの内面に当接することを特徴としている。
【００１３】
本発明において、上記第２および第３の溝の溝幅と上記各脚板の板厚はほぼ同一であることが好ましい。
【００１４】
また、本発明の好ましい態様によれば、上記雄ネジと上記一対の脚板はほぼ１２０度間隔で配置される。
【発明の効果】
【００１５】
本発明によれば、上記雄ネジを上記ネジ収納穴から突出させて上記工具挿入用の孔の周縁部に当接するのに伴って、上記各脚板が上記第２および第３の溝から突出して上記マイクロホンケースの内面に当接するようにしたことにより、上記コネクタ基台が上記雄ネジおよび上記２つの脚板の３箇所にて上記マイクロホンケース内に固定されるため、出力コネクタの偏心を防止することができる。
【００１６】
また、上記第２および第３の溝の溝幅と上記各脚板の板厚をほぼ同一とすることにより、固定金具に傾きを生じさせることなく、固定金具を平行移動させることができる。
【００１７】
また、上記雄ネジと上記一対の脚板をほぼ１２０度間隔で配置することにより、出力コネクタの偏心をより少なくすることができる。
【図面の簡単な説明】
【００１８】
【図１】本発明の実施形態に係る出力コネクタを示す断面図。
【図２】図１のＡ−Ａ線断面図。
【図３】本発明の要部を示す分解斜視図。
【図４】上記出力コネクタの固定状態を示す図１と同様の断面図。
【図５】図４のＢ−Ｂ線断面図。
【発明を実施するための形態】
【００１９】
次に、図面を参照して、本発明の実施形態について説明するが、本発明はこれに限定されるものではない。
【００２０】
まず、図１ないし図３を参照して、この実施形態に係る出力コネクタ１０は、マイクロホンケース１内に配置されるコネクタ基台１１を備えている。マイクロホンケース１は、黄銅合金等の金属材により円筒状に形成され、出力コネクタ１０が固定される部位には、工具挿入用の小さな孔２が形成されている。
【００２１】
コネクタ基台１１は、ＰＢＴ（ポリブタジエンテレフターレート）等の合成樹脂材により成型された円盤体からなる。コネクタ基台１１は、マイクロホンケース１内に嵌合するうえで、その外径がマイクロホンケース１の内径よりも若干小さく形成され、その間に偏心の原因となるクリアランス（隙間）が存在している。
【００２２】
コネクタ基台１１には、ＥＩＡＪ  ＲＣ−５２３６「音響機器用ラッチロック式丸形コネクタ」の規定にしたがって、接地用の１番ピンＥ，信号用のホット側２番ピンＳＨおよび信号用のコールド側３番ピンＳＣが貫設されている。
【００２３】
また、コネクタ基台１１には、その周面から円盤体の半径方向に沿ってネジ収納穴１２が形成され、その内部に固定用の雄ネジ１３が収納される。
【００２４】
特に、図３を参照して、この実施形態において、コネクタ基台１１の上面１１ａには、金具収納溝２０が形成されている。金具収納溝２０は、コネクタ基台１１の下面側に設けられてもよい。
【００２５】
金具収納溝２０には、ネジ収納穴１２と直交し、かつ、ネジ収納穴１２を垂直に横切る第１の溝２１と、第１の溝２１の両端から互いに平行としてネジ収納穴１２とは反対方向に延びてコネクタ基台１１の周面に至る第２の溝２２および第３の溝２３とが含まれている。
【００２６】
金具収納溝２０内には、出力コネクタ１０の偏心を防止するための固定金具３０が収納される。固定金具３０はほぼコ字形で、基板３１と、基板３１の両端に連設された一対の脚板３２，３３とを備えている。
【００２７】
基板３１は第１の溝２１内に配置され、その中央部分、すなわちネジ収納穴１２と対向する部分に、雄ネジ１３が螺合される雌ネジ３１ａが形成されている。
【００２８】
脚板３２，３３は、基板３１の両端から互いに平行としてほぼ直角に折り曲げられ、その各々は、第２の溝２２，第３の溝２３内に収納される。
【００２９】
第１の溝２１の溝幅Ｗ１は、基板３１の板厚よりも広い。これに対して、第２および第３の溝２２，２３の各溝幅Ｗ２は、脚板３２，３３をガタ付きなく受け入れるように、脚板３２，３３の板厚とほぼ同じであることが好ましい。これにより、固定金具３０は第１の溝２１の溝幅Ｗ１方向に沿って平行移動的に移動可能である。
【００３０】
ここで、コネクタ基台１１の中心から見て、第１の溝２１の溝幅Ｗ１方向に沿って対向する２つの内面のうちの半径方向外側（中心から遠い方）に位置する内面（図１ないし図３において右側の内面）を第１内面２１ａとし、半径方向内側（中心に近い方）に位置する内面（図１ないし図３において左側の内面）を第２内面２１ｂとする。
【００３１】
脚板３２，３３はともに同じ長さＬ１で、その長さＬ１は、図２に示すように、基板３１が第１内面２１ａ側に位置しているとき、脚板３２，３３の先端３２ａ，３３ａが第２および第３の溝２２，２３から突出せず、図５に示すように、基板３１が第２内面２１ｂ側に移動したとき、脚板３２，３３の先端３２ａ，３３ａが第２および第３の溝２２，２３から突出する長さとされている。
【００３２】
次に、この出力コネクタ１０の固定作業の一例について説明する。マイクロホンケース１内に入れる前作業として、各ピンＥ，ＳＨ，ＳＣが貫設されているコネクタ基台１１の金具収納溝２０内に固定金具３０を収納する。
【００３３】
そして、雄ネジ１３をネジ収納穴１２内に挿入し、基板３１に形成されている雌ネジ３１ａに螺合して、例えば時計方向に回して雄ネジ１３を半径方向内側に移動させ、図１および図２に示すように、雄ネジ１３がネジ収納穴１２内に没するようにする。
【００３４】
雄ネジ１３がネジ収納穴１２の底部に当接しても、なおも雄ネジ１３を同方向に回すことにより、今度は、固定金具３０が半径方向外側に移動し、第１の溝２１の第１内面２１ａ側に引き寄せられるため、脚板３２，３３の先端３２ａ，３３ａは第２および第３の溝２２，２３内に引き込まれた状態となる。
【００３５】
このようにしてから、コネクタ基台１１をマイクロホンケース１内に嵌合し、ネジ収納穴１２と工具挿入用の孔２とを合致させる。なお、孔２の内径は、雄ネジ１３の外径よりも小さい。
【００３６】
そして、図示しないドライバー（ネジ回し）を孔２から差し込んで、雄ネジ１３を今度は反時計方向に回して、雄ネジ１３を半径方向外側に移動させ、図４および図５に示すように、雄ネジ１３のエッジ部（肩）を孔２の周縁部分に当接させる。
【００３７】
なおも、ドライバーを同方向に回すことにより、固定金具３０が半径方向内側（第１の溝２１の第２内面２１ｂ側）に移動し、これに伴って、脚板３２，３３の先端３２ａ，３３ａが第２および第３の溝２２，２３から突出して、マイクロホンケース１の内面に当接する。
【００３８】
この状態が図５に示されており、これによれば、出力コネクタ１０が雄ネジ１３，脚板３２の先端３２ａおよび脚板３３の先端３３ａの３箇所で支持されるため、出力コネクタ１０をマイクロホンケース１内に偏心させることなく、ほぼ同軸的に固定することができる。
【００３９】
なお、雄ネジ１３，脚板３２の先端３２ａおよび脚板３３の先端３３ａの３箇所は、二等辺三角形の各頂点に配置されてもよいが、出力コネクタ１０の偏心をより少なくするうえで、１２０度間隔での配置、すなわち正三角形の各頂点に配置されることが好ましい。
【符号の説明】
【００４０】
１  マイクロホンケース
２  工具挿入用の孔
１０  出力コネクタ
１１  基台
１２  ネジ収納穴
１３  雄ネジ
２０  金具収納溝
２１  第１の溝
２１ａ  第１内面
２１ｂ  第２内面
２２  第２の溝
２３  第３の溝
３０  固定金具
３１  基板
３１ａ  雌ネジ
３２，３３  脚板
Ｅ    接地用の１番ピン
ＳＨ  信号用の２番ピン
ＳＣ  信号用の３番ピン
【図１】
2011091529.tif 000003
【図２】
2011091529.tif 000004
【図３】
2011091529.tif 000005
【図４】
2011091529.tif 000006
【図５】
2011091529.tif 000007